(57)【要約】窓開口部等を覆うように室内側に配置されるブラインド、ロールカーテン、プリーツカーテン等の日よけ部材と、該日よけ部材の窓覆い部を前記窓開口部等を開放する方向には移動させないように係止するロック部材とを備え、前記窓覆い部が、人力では容易に曲げることができない程度の剛性、又は、人力では容易に破ることができない程度の引っ張り強度を有するものとされてなる室内防犯具。
2003102343.tif 000002
【特許請求の範囲】
【請求項１】
室内側に配置され人力では容易に曲げることができない程度の剛性、又は、人力では容易に破ることができない程度の引っ張り強度を有し窓の窓開口部を覆う窓覆い部を有する日よけ部材と、
該窓覆い部を前記窓開口部を開放する方向に移動させないように選択的に係止するロック部材と
を備えることを特徴とする室内防犯具。
【請求項２】
前記ロック部材は、前記日よけ部材の最下端に位置する部材を係止することを特徴とする請求項１記載の室内防犯具。
【請求項３】
前記窓覆い部の両端部が挿入される断面コ字形の左辺部及び右辺部を有する枠状体をさらに備え、
前記ロック部材は、前記窓覆い部が閉状態にあるときに、前記左辺部及び右辺部に挿入されている前記窓覆い部の傾斜及び移動を規制する一対のアームを有することを特徴とする請求項１記載の室内防犯具。
【発明の詳細な説明】
技術分野
本発明は、窓等からの侵入を阻止するための室内防犯具に係り、詳しくは、窓開口部等を覆うように室内側に配置されるブラインド、ロールカーテン、プリーツカーテン等の日よけ部材を利用して侵入を阻害するようにされた室内防犯具に関する。
背景技術
近年、泥棒、空き巣、ピッキング、強盗等、窓等を破って室内に入り込む侵入犯が増加傾向にあり、社会問題となっている。一般に、建物の窓開口部には、例えばサッシが組み付けられ、このサッシにスライド式の窓ガラスが開閉自在に嵌め込まれ、この窓ガラスを外部から開けられないようにするため、室内側からクレセント錠等により施錠するようになっているが、侵入をもくろむ泥棒等にとっては、上記のようにクレセント錠等で施錠している窓を破ることはさほど難しいことではないと思料される。
発明の開示
このような現状に鑑み、本発明者等は、窓ガラス等の窓開閉部材さえ破れば、いとも簡単に侵入を許してしまうところに問題があり、窓ガラス等の窓開閉部材が破られてもさらに侵入を阻害するものがあれば、泥棒等は室内への侵入を躊躇し、断念する可能性が高くなると考えた。
また、窓開閉部材が破られてもさらに侵入を阻害するものとして、窓開口部等を覆うように室内側に配置されるブラインド、ロールカーテン、プリーツカーテン等の日よけ部材に着目し、これらを有効に活用することによって、窓開口部等に対して二重の防犯機能を持たせることができるのではないかと考えた。
本発明は、上記着想を出発点として、さらに鋭意研究を重ねてなされたもので、その目的とするところは、窓開口部等を覆うように室内側に配置されるブラインド、ロールカーテン、プリーツカーテン等の日よけ部材を利用して侵入を阻害できるようになし、もって、窓開口部等に対して二重の防犯機能を持たせることができるようにされた室内防犯具を提供することにある。
上記目的を達成すべく、本発明に係る室内防犯具は、基本的には、室内側に配置され人力では容易に曲げることができない程度の剛性、又は、人力では容易に破ることができない程度の引っ張り強度を有し窓の窓開口部を覆う窓覆い部を有する日よけ部材と、該窓覆い部を前記窓開口部を開放する方向に移動させないように選択的に係止するロック部材とを備えるものとされる。
前記ロック部材は、好ましくは、前記日よけ部材の最下端に位置する部材を係止するようにされる。
他の好ましい態様としては，前記窓覆い部の両端部が挿入される断面コ字形の左辺部及び右辺部を有する枠状体をさらに備え、前記ロック部材は、前記窓覆い部が閉状態にあるときに、前記左辺部及び右辺部に挿入されている前記窓覆い部の傾斜及び移動を規制する一対のアームを有するものが挙げられる。
このような構成とされた本発明に係る室内防犯具においては、窓覆い部が人力では容易に曲げることができない程度の剛性、又は、人力では容易に破ることができない程度の引っ張り強度を有しているので、ロック機構により、例えば、日よけ部材の最下端に位置する部材をロックしておけば、仮に窓ガラス等の窓開閉部材が破られても、窓覆い部が侵入を阻害する防壁となる。つまり、窓開口部に対して窓ガラスを施錠しておくことによる防犯機能に加えて、窓覆い部をロックしておくことによる防犯機能を付加することができる。
ここで、従来において、窓ガラス等の窓開閉部材の内側（室内側）には、侵入を阻害する防壁となるようなものは設置されていないのが普通である。窓ガラス等の窓開閉部材より室内側に、ブラインド、ロールカーテン、プリーツカーテン等の日よけ部材を設置することは少なくないが、従来の日よけ部材は、上端側は固定されているが、下端側はフリーであり、また、人力で容易に曲げたり引き裂いたりできるので、防犯効果はほとんど期待できない。
この場合、侵入をもくろむ泥棒等には、前記のようにブラインド等によって侵入を阻害されることはないとの先入観が植え付けられているので、そんな先入観を持った泥棒等が窓ガラス等を破って部屋に侵入しようとしたとき、本発明の室内防犯具が設置されていた場合には、ひどく動揺して、侵入を断念する可能性が極めて高いと考えられる。
この点を考慮すると、本発明の室内防犯具は、窓ガラスが破られた後の防犯機能を備えていればよいので、窓の外側に設置されるシャッター等のように頑丈かつ精密に作る必要はなく、侵入を一瞬躊躇させることができる程度であってよい。そのため、防犯についての費用対効果に優れる。
以下、本発明の実施の形態を図面を参照しながら説明する。
ただし、本発明はこれらの実施の形態によりその技術的範囲が限定されるものではない。
〈第１実施の形態〉
図１は、本発明に係る室内防犯具の第１実施の形態を示す正面図である。図１に示される第１実施の形態の室内防犯具１０は、建物の窓開口部１（図３）における室内側に設置されている。前記窓開口部１の室外側には、アルミサッシ３が組み付けられ、このサッシ３にスライド式の窓ガラス５が開閉自在に嵌め込まれ、該窓ガラス５を外部から開けられないようにするため、クレセント錠（図示せず）等が取り付けられている。
本実施の形態の室内防犯具１０は、日よけ部材としてのベネシャンブラインド２０と、窓開口部１の室内側に組み込まれた枠状体１２と、ロック機構３０と、を備えている。前記ベネシャンブラインド２０において窓開口部１を覆う窓覆い部として用いられるスラット２２は、長さが９０〜１２０ｃｍ、幅が２０〜３０ｍｍ、板厚が２〜３ｍｍのアルミ合金製又はスチール製の板であり、人力では容易に曲げることができない程度の剛性を有している。また、最下端に配置されたボトムレール２３は、スラット２２と略同じ長さと幅を持ち、材質も同じであるが、パイプ状に形成されているので、スラット２２より剛性、強度は大きい。
前記スラット２２及びボトムレール２３は、ピアノ線の如くの引っ張り強度が大なる材料で作製された昇降コード２４によりルーバー状に連結されている。前記スラット２２を昇降させるための昇降機構及び傾斜角度を変えるための傾斜角度調節機構等は、前記枠状体１２の上辺部（ヘッドボックス）１２Ａ内に配在されており、前記上辺部１２Ａから吊り下げられた昇降用ひも２５を引っ張ることにより、前記スラット２２及びボトムレール２３を任意の高さ位置で停止保持させることができ、また、前記上辺部１２Ａから垂下されたポール２６を回すことによりスラット２２の傾斜角度を変えることができるようになっている。
前記枠状体１２は、アルミ合金製又は合成樹脂製とされ、各々断面コ字状のボックス形とされた上辺部１２Ａ、下辺部（ボトムボックス）１２Ｂ、左辺部（左サイドボックス）１２Ｃ、及び、右辺部（右サイドボックス）１２Ｄからなる矩形状をしており、前記左辺部１２Ｃ及び右辺部１２Ｄ内には、スラット２２及びボトムレール２３の両端部が挿入されている。左辺部１２Ｃ及び右辺部１２Ｄは、図３に示される如くに、スラット２２及びボトムレール２３が余裕をもって開閉できる幅を有している。前記下辺部１２Ｂ内には、下端付近のスラット２２及びボトムレール２３が挿入される（最も下降せしめられたとき）ようになっている。なお、最下端のスラット２２の両端部には、後述するロック機構３０によりボトムレール２３を係止しやすくするための切欠部２２ａが形成されている。
前記下辺部１２Ｂの左右両端部には、それぞれ同一構成のロック機構３０が配設されている。このロック機構３０は、スラット２２を窓開口部１を開放する方向（ここでは上方）には移動させないようにボトムレール２３の両端部を係止するようになっている。以下に右端側のものを代表して説明する。
図２は、図１に示される室内防犯具のロック部材周辺を拡大して示す部分切欠正面図である。図３は、図２のＡ−Ａ矢視拡大断面図であり、（Ａ）はロック解除状態を示し、（Ｂ）はロック状態を示している。ロック機構３０は、図１に加えて図２、図３を参照すればよくわかるように、切欠円筒状の係止部材３２を有し、この係止部材３２が、下辺部１２Ｂ内における右側端面部に固定された短円筒状の支軸部３５に、横向きで回動自在に支持されている。係止部材３２の外周には、回動用レバー３３が取り付けられており、この回動用レバー３３は、下辺部１２Ｂに形成された切欠開口１４から前方（室内側）に突出せしめられている。
回動用レバー３３を下側に倒した状態では、図３（Ａ）に示される如くに、係止部材３２に形成された切欠開口部３２ａが上向きとされ、この状態では、最下降位置まで下ろされたボトムレール２３が切欠開口３２ａから係止部材３２内に挿入される。それに対し、回動用レバー３３を倒した状態から起こすと、図３（Ｂ）に示される如くに、係止部材３２が回転して、その回転方向先端部３２ｓが前記最下端のスラット２２に形成された切欠部２２ａに挿通してボトムレール２３の背面側に回り込み、ボトムレール２３の右端部が上方には引き上げられない状態（係止状態）となる。
なお、ボトムレール２３の最下降位置がずれる等して、係止部材３２の回転方向先端部３２ｓが、最下端のスラット２２に形成された切欠部２２ａに入り込めない場合でも、スラット２２に前記先端部３２ｓが接当すれば、スラット２２が傾斜してスラット２２−２２間に隙間が形成されるので、前記先端部３２ｓがその隙間に入り込み、ボトムレール２３の背面側に回り込むことができる。したがって、前記切欠部２２ａは必ずしも形成する必要はない。
続いて、左端側のロック機構３０についても同様な操作を行えば、ボトムレール２３の左端部も係止状態となり、これにより、ボトムレール２３がロックされ、ボトムレール２３がロックされると、スラット２２もロックされたことになる。
このような構成とされた本実施の形態の室内防犯具１０では、スラット２２が人力では容易に曲げることができない程度の剛性を有しており、しかも、その移動範囲が枠状体１２により規制されているので、前記のようにしてボトムレール２３を左右のロック機構３０でロックしておけば、仮に窓ガラス５が破られても、ブラインド２０が侵入を阻害する防壁となる。つまり、窓開口部１に対して窓ガラス５を施錠しておくことによる防犯機能に加えて、ブラインド２０をロックしておくことによる防犯機能を付加することができる。
一般に、ブラインドは、上端側は固定されているが、下端側はフリーであり、また、人力で容易に曲げたり引き裂いたりできるので、防犯効果はほとんどないと思われている。そのため、泥棒等が窓ガラス等を破って部屋に侵入しようとしたとき、ベネシャンブラインド２０を利用した本実施の形態の室内防犯具１０が設置されていた場合には、ひどく動揺して、侵入を断念する可能性が極めて高いと考えられる。
この点を考慮すると、本実施の形態の室内防犯具１０は、前提として窓ガラス５が破られた後の防犯機能を備えていればよいので、窓の外側に設置されるシャッター等のように頑丈かつ精密に作る必要はなく、侵入を暫く躊躇させることができる程度であってよい。そのため、防犯についての費用対効果に優れる。
なお、上記第１実施の形態の室内防犯具１０においては、ブラインド２０のボトムレール２３をロックするようにしているので、枠状体１２は必ずしも必要ではない。
〈第２実施の形態〉
図４は、本発明に係る室内防犯具の第２実施の形態を示す正面図である。図５は、図４のＢ−Ｂ矢視拡大断面図であり、（Ａ）はロック解除状態を示し、（Ｂ）はロック状態を示している。図４、図５に示される第２実施の形態の室内防犯具４０は、第１実施の形態で用いられたものと基本構成が略同じのベネシャンブラインド２０と枠状体１２が用いられており、第１実施の形態とはロック機構が異なる。以下においては、第１実施の形態の室内防犯具１０の各部と同一構成ないし同一機能部分には同一の符号を付して重複説明を省略し、以下においては、相違点を重点的に説明する。
本実施の形態の室内防犯具４０は、ロック機構５０として、２本のアーム５１、５２が用いられている。このアーム５１、５２は、アルミ合金、合成樹脂、又は木材等を素材とした角棒とされ、ブラインド２０におけるスラット２２の両端部をロックするようになっている。アーム５１、５２は、アンロック時には枠状体１２の下辺部１２Ｂ内に上下に重ねて寝かせた姿勢で格納され、ロックを行うときには、下辺部１２Ｂから立ち上げて回すようにして左辺部１２Ｃ及び右辺部１２Ｄ内に挿入するようになっている。
詳細には、図５を参照すればよくわかるように、アーム５１は、その基端部が下辺部１２Ｂの左端部に橋架された支軸５３に回動自在に支持され、アーム５２は、その基端部が下辺部１２Ｂの右端部に橋架された支軸５４に回動自在に支持されている。アーム５１、５２は、下辺部１２Ｂにおいて前面側（室内側）寄せられて格納され、立ち上げられたときにも、左辺部１２Ｃ及び右辺部の前面側に寄せられ、アーム５１、５２と左辺部１２Ｃ及び右辺部１２Ｄの後面部１２ｃ、１２ｄとで、全閉状態のスラット２２を若干の隙間を介して挟むようになっている。また、下辺部１２Ｂの前後方向の幅は、左辺部１２Ｃ及び右辺部１２Ｄのそれより大きくされ、アーム５１、５２を回す際に邪魔になるボトムレール２３を退避させることができるようになっている。
また、アーム５１、５２を回す際、スラット２２及びボトムレール２３が多少開く（傾斜する）等して、アーム５１、５２に引っ掛かるのを防ぐため、それらの格納時における上面と後面５１ａ、５２ａとがなす角部５１Ｒ、５２Ｒが丸められている。アーム５１、５２の先端部には、下辺部１２Ｂからの引き出し時の便宜等を図るべくコ字状の把手５６が取り付けられている。また、左辺部１２Ｃ及び右辺部１２Ｄの上部には、立ち上げられたアーム５１が倒れるのを防ぐため、前記把手５６部分を係止する係止具５７が設けられている。
このような構成とされた本実施の形態の室内防犯具４０においては、ロックを行う際には、スラット２２を全閉にして最下降位置（図示位置）まで下ろしておき、下辺部１２Ｂからアーム５１を引き出し、図４において一点鎖線で示される如くに、回して立ち上げ、左辺部１２Ｃ内に挿入し、続いて、同様にしてアーム５２を右辺部１２Ｄ内に挿入する。
このようにして、両アーム５１、５２を左辺部１２Ｃ、右辺部１２Ｄに挿入した状態では、図４（Ｂ）に示される如くに、アーム５１、５２とスラット２２の両端部との間、及び、スラット２２と左辺部１２Ｃ及び右辺部１２Ｄの後面部１２ｃ、１２ｄとの間にはわずかな隙間しか形成されない。そのため、窓ガラス５を破って侵入した泥棒等がスラット２２をたくし上げようとすると、スラット２２の両端部がアーム５１、５２及び後面部１２ｃ、１２ｄに擦りつけられて係止される。この場合、スラット２２は人力では容易に曲げることができない程度の剛性を有しており、また、室外側（背面側）からスラット２２に手を当てても、引っ掛ける部分がないし、各スラット２２は垂直に近い角度（８０°以上）で立てられているので、大きな引き上げ力を加えることができない。このため、スラット２２がアーム５１、５２でロックされたことになり、さらに、スラット２２を多少引き上げたとしても、ボトムレール２３が下辺部１２Ｂの後面側上端縁１２ｂに引っ掛かって係止されるので、ブラインド２０を破って侵入することはほとんど不可能である。
したがって、本実施の形態の室内防犯具４０においても、第１実施の形態と略同様な作用効果が得られる。
〈第３実施の形態〉
図６は、本発明に係る室内防犯具の第３実施の形態を示す正面図である。図７は、図６のＣ−Ｃ矢視断面図である。図６に示される第３実施の形態の室内防犯具６０は、ロールカーテン６５と、ロック機構７０とからなっている。ロールカーテン６５は、巻き取り本体部６６と、炭素繊維等で作製された、人力では容易に破ることができない程度の引っ張り強度を有するスクリーン６７と、このスクリーン６７の最下端部に取り付けられた、人力では容易に曲げることができない程度の剛性を有する金属製又は合成樹脂製のウエイトバー６８と、スクリーン６７の高さ位置を調節するためのチェーン６９と、を備えており、前記巻き取り本体部６６は、窓開口部１に組み付けられたアルミサッシ３の室内側面部３ａの上端に取り付けられている。
また、前記ロック機構７０は、前記アルミサッシ３の下端部の左右両端に取付固定された左係止具７１及び右係止具７２を備えている。左係止具７１は、サッシ３に取付固定された固定腕部７１Ａと該固定腕部７１Ａから内方横向きに突設された比較的長い棒状係止部７１Ｂとからなっている。また、右係止具７２は、サッシ３に取付固定された固定腕部７２Ａと該固定腕部７２Ａから内方横向きに突設された比較的短い棒状係止７２Ｂとからなっている。
そして、本実施の形態の室内防犯具６０では、前記棒状係止部７１Ｂ、７２Ｂをロールカーテン６５のウエイトバー６８の両端部に差し込むことによってロックするようにされている。
図８は、図６、図７に示される室内防犯具に備えられるロック部材の説明に供される部分拡大断面図である。詳細には、図８に示される如く、ウエイトバー６８の左端部には、圧縮コイルばね７４が縮装された比較的深い有底の係止穴７３が設けられ、右端部には、前記棒状係止部７２Ｂが差し込まれる比較的浅い係止穴７８が設けられている。前記圧縮コイルばね７４の左端部は、係止穴７３内を摺動せしめられる断面Ｈ形のばね受け７９に挿入されている。係止穴７３の左端には抜け止め用係止部７５が形成されている。
このような構成とされた本実施の形態の室内防犯具６０においては、ロックを行う際には、図８（Ａ）に示される如くに、ウエイトバー６８を左に動かして左端部に設けられた係止穴７３を棒状係止部７１Ｂに外から差し込み、続いて、右端部に設けられた係止穴７８を棒状係止部７２Ｂに外から差し込む。これにより、ウエイトバー６８が上方には引き上げられないようロックされる。ロックを解除するには、ウエイトバー６８を左に動かして右側の係止穴７８と棒状係止部７２Ｂとの係合を解けばよい。
このように本実施の形態の室内防犯具６０は、ロック、ロック解除を容易に行える。その分、ロックしても破られる可能性は高くなる。そこで、図８（Ｂ）に示される如くに、棒状係止部７１Ｂに穴７６を形成しておいてピン７７を挿入するようにしてもよい。このようになせば、ウエイトバー６８を横移動させることができなくなるので、防犯機能が高められる。
本実施の形態の室内防犯具６０では、ウエイトバー６８及びスクリーン６７が、それぞれ人力では容易に曲げることができない程度の剛性、人力では容易に破ることができない程度の引っ張り強度を有しているので、上記のようにウエイトバー６８をロック機構７０でロックしておけば、侵入することはほとんど不可能である。
したがって、本実施の形態の室内防犯具４０においても、第１及び第２実施の形態と略同様な作用効果が得られる。
〈第４実施の形態〉
図９は、本発明に係る室内防犯具の第４実施の形態を示す要部断面図である。図９に示される第４実施の形態の室内防犯具８０は、第２実施の形態のブラインド２９に変えてプリーツカーテン９０を使用しており、他の枠状体１２やロック機構５０等の構成は第２実施の形態と略同じである。プリーツカーテン９０のカーテン部材（窓覆い部）９２の素材としては、人力では容易に曲げることができない程度の剛性を有する材料が用いられている。
かかる構成の室内防犯具８０においては、ロックを行う際には、カーテン部材９２を折り畳んだ状態から伸ばした状態にして最下降位置（図示位置）まで下ろしておき、下辺部１２Ｂからアーム５１を引き出して立ち上げ、左辺部１２Ｃ内に挿入し、続いて、同様にしてアーム５２を右辺部１２Ｄ内に挿入する。
このようにして、両アーム５１、５２を左辺部１２Ｃ、右辺部１２Ｄに挿入した状態では、アーム５１、５２とカーテン部材９２の両端部との間、並びに、カーテン部材９２と左辺部１２Ｃ及び右辺部１２Ｄの後面部１２ｃ、１２ｄとの間にはわずかな隙間しか形成されない。そのため、窓ガラス５を破って侵入した泥棒等がカーテン部材９２をたくし上げようとすると、カーテン部材９２の両端部がアーム５１、５２及び後面部１２ｃ、１２ｄに擦りつけられて係止される。
この場合、カーテン部材９２は人力では容易に曲げることができない程度の剛性を有しており、また、室外側（背面側）からカーテン部材９２に手を当てても、引っ掛ける部分がないし、カーテン部材９２は垂直に近い角度（８０°以上）で立てられているので、大きな引き上げ力を加えることができない。このため、カーテン部材９２がアーム５１、５２でロックされたことになり、さらに、カーテン部材９２を多少引き上げたとしても、ボトムレール２３が下辺部１２Ｂの後面側上端縁１２ｂに引っ掛かって係止されるので、プリーツカーテン９０を破って侵入することはほとんど不可能である。
したがって、本実施の形態の室内防犯具８０においても、第２実施の形態と略同様な作用効果が得られる。
なお、本発明は上記実施の形態に限定されるものではない。
例えば、本発明の防犯室内具は、開閉しない窓に取り付けられるものであっても良い。
産業上の利用の可能性
本発明により、窓開口部等を覆うように室内側に配置されるブラインド、ロールカーテン、プリーツカーテン等の日よけ部材を利用して侵入を阻害できるので、窓開口部等に対して二重の防犯機能を持たせることが可能となる。
【図面の簡単な説明】
図１は、本発明に係る室内防犯具の第１実施の形態を示す正面図である。
図２は、図１に示される室内防犯具のロック部材周辺を拡大して示す部分切欠正面図である。
図３は、図２のＡ−Ａ矢視拡大断面図であり、（Ａ）はロック解除状態を示し、（Ｂ）はロック状態を示している。
図４は、本発明に係る室内防犯具の第２実施の形態を示す正面図である。
図５は、図４のＢ−Ｂ矢視拡大断面図であり、（Ａ）はロック解除状態を示し、（Ｂ）はロック状態を示している。
図６は、本発明に係る室内防犯具の第３実施の形態を示す正面図である。
図７は、図６のＣ−Ｃ矢視断面図である。
図８は、図６、図７に示される室内防犯具に備えられるロック部材の説明に供される部分拡大断面図である。
図９は、本発明に係る室内防犯具の第４実施の形態を示す要部断面図である。
【図１】
2003102343.tif 000003
【図２】
2003102343.tif 000004
【図３】
2003102343.tif 000005
【図４】
2003102343.tif 000006
【図５】
2003102343.tif 000007
【図６】
2003102343.tif 000008
【図７】
2003102343.tif 000009
【図８】
2003102343.tif 000010
【図９】
2003102343.tif 000011
【国際調査報告】
2003102343.tif 000012
2003102343.tif 000013